(57)【要約】【課題】緊急コールセットアップを条件付きで試みるためのシステムおよび方法を提供すること。【解決手段】通信デバイスにおける方法であって、該方法は、緊急コールセットアップを試みるための少なくとも１つの条件を維持するステップと、緊急コールセットアップを促すメッセージを受信するステップであって、該メッセージは、第３世代携帯電話規格に従う、ステップと、該緊急コールセットアップを促すメッセージを受信するステップに応答して、該少なくとも１つの条件のうちの任意の条件が満たされる場合にのみ、該緊急コールセットアップを試みるステップとを包含する。【選択図】図１Ａ
2008172778.tif 000002
【特許請求の範囲】
【請求項１】
通信デバイスにおける方法であって、
緊急コールセットアップを試みるための少なくとも１つの条件を維持するステップと、
緊急コールセットアップを促すメッセージを受信するステップであって、該メッセージは、第３世代携帯電話規格に従う、ステップと、
該緊急コールセットアップを促す該メッセージの受信に応答して、該少なくとも１つの条件のうちの任意の条件が満たされる場合にのみ、該緊急コールセットアップを試みるステップと
を包含する、方法。
【請求項２】
前記緊急コールセットアップを促すメッセージを受信するステップは、
３ＧＰＰ  ＴＳ  ２４．２２９、バージョン５のセクション５．１．６において提示されるプロトコルに従ってフォーマットされるメッセージを受信するステップであって、該メッセージは該緊急コールセットアップを促す、ステップを包含する、請求項１に記載の方法。
【請求項３】
前記緊急コールセットアップを促す前記メッセージが、実際に、該緊急コールセットアップをトリガするべきかどうかの設定を維持するステップをさらに包含し、
前記少なくとも１つの条件のうちの任意の条件が満たされる場合のみ、該緊急コールセットアップを試みるステップは、該緊急コールセットアップを促す該メッセージが、実際に、該緊急コールセットアップをトリガするべきであることを示す場合のみ、該緊急コールセットアップを試みるステップを包含する、請求項１または請求項２に記載の方法。
【請求項４】
前記設定を操作するためのユーザ入力を受信するステップと、
該設定を操作するためのネットワーク入力を受信するステップと
のうちの少なくとも１つをさらに包含する、請求項３に記載の方法。
【請求項５】
前記緊急コールセットアップを促す前記メッセージが、ボイスコールセッションを確立する前記通信デバイスによって送信されるリクエストに応答しているかどうかを決定するステップをさらに包含し、
前記少なくとも１つの条件のうちの任意の条件が満たされる場合のみ、前記緊急コールセットアップを試みるステップは、該緊急コールセットアップを促す該メッセージが、ボイスコールセッションを確立する該通信デバイスによって送信されるリクエストに応答している場合のみ、該緊急コールセットアップを試みるステップを包含する、請求項１〜請求項４のうちのいずれか１項に記載の方法。
【請求項６】
前記緊急コールセットアップを促す前記メッセージが、ビデオコールセッションを確立する前記通信デバイスによって送信されるリクエストに応答しているかどうかを決定するステップをさらに包含し、
前記少なくとも１つの条件のうちの任意の条件が満たされる場合のみ、前記緊急コールセットアップを試みるステップは、該緊急コールセットアップを促す該メッセージが、ビデオコールセッションを確立する該通信デバイスによって送信されるリクエストに応答している場合のみ、該緊急コールセットアップを試みるステップを包含する、請求項１〜請求項５のうちのいずれか１項に記載の方法。
【請求項７】
緊急ナンバーにリダイレクションされ得るサービスの識別を維持するステップをさらに包含し、
前記少なくとも１つの条件のうちの任意の条件が満たされる場合のみ、前記緊急コールセットアップを試みるステップは、該緊急コールセットアップを促す前記メッセージが、該識別に従って緊急ナンバーにリダイレクションされ得るサービスに関している場合のみ、該緊急コールセットアップを試みるステップを包含する、請求項１〜請求項６のうちのいずれか１項に記載の方法。
【請求項８】
信頼できるソースの識別を維持するステップをさらに包含し、
前記少なくとも１つの条件のうちの任意の条件が満たされる場合のみ、前記緊急コールセットアップを試みるステップは、該緊急コールセットアップを促すメッセージが、該識別に従って信頼できるソースであるメッセージソースから送信されたことの指示がある場合のみ、該緊急コールセットアップを試みるステップを包含する、請求項１〜請求項７のうちのいずれか１項に記載の方法。
【請求項９】
前記緊急コールセットアップが、該緊急コールセットアップを促す前記メッセージに応答して試みられない場合に、前記通信デバイスのユーザに警告するステップをさらに包含する、請求項１〜請求項８のうちのいずれか１項に記載の方法。
【請求項１０】
コンピュータ読み取り可能な媒体であって、その上に格納され、コンピューティングデバイスに、該コンピューティングデバイスが、請求項１〜請求項９のうちのいずれか１項に記載の方法の前記ステップをインプリメントするように該コンピューティングデバイスのプロセッサ上で実行するためのコンピュータ実行可能な命令を有する、コンピュータ読み取り可能な媒体。
【請求項１１】
緊急コールセットアップを試みるための少なくとも１つの条件を維持する手段と、
緊急コールセットアップを促すメッセージを受信する手段であって、該メッセージは、第３世代携帯電話規格に従う、手段と、
該少なくとも１つの条件のうちの任意の条件が満たされる場合のみ、該緊急コールセットアップを促す該メッセージを受信することに応答して、該緊急コールセットアップを試みる手段と
を有する緊急コールセットアップ機能を備えている通信デバイス。
【請求項１２】
前記通信デバイスは、ワイヤレス接続を介してワイヤレスネットワークと通信するように動作可能なワイヤレスアクセス無線を備えているモバイルデバイスである、請求項１１に記載の通信デバイス。
【請求項１３】
前記受信する手段は、３ＧＰＰ  ＴＳ  ２４．２２９、バージョン５のセクション５．１．６に提示されるプロトコルに従ってフォーマットされるメッセージを受信するように適合され、該メッセージは、前記緊急コールセットアップを促す、請求項１１または請求項１２に記載の通信デバイス。
【請求項１４】
前記緊急コールセットアップを促す前記メッセージが実際に該緊急コールセットアップをトリガするべきかどうかの設定を維持する手段をさらに備え、
前記少なくとも１つの条件のうちの任意の条件が満たされる場合のみ、該緊急コールセットアップを試みる手段は、該設定が、該緊急コールセットアップを促す該メッセージが実際に、該緊急コールセットアップをトリガするべきことを示す場合のみ、該緊急コールセットアップを試みるように適合されている、請求項１１〜請求項１３のうちのいずれか１項に記載の通信デバイス。
【請求項１５】
前記設定を操作するためのユーザ入力を受信する手段と、
該設定を操作するためのネットワーク入力を受信する手段と
をさらに備えている、請求項１４に記載の通信デバイス。
【請求項１６】
前記緊急コールセットアップを促す前記メッセージが、ボイスコールセッションを確立するための前記通信デバイスによって送信されるリクエストに応答しているかどうかを決定する手段をさらに備え、
前記少なくとも１つの条件のうちの任意の条件が満たされる場合のみ、該緊急コールセットアップを試みる前記手段は、該緊急コールセットアップを促す該メッセージが、ボイスコールセッションを確立するための該通信デバイスによって送信されるリクエストに応答している場合のみ、該緊急コールセットアップを試みるように適合されている、請求項１１〜請求項１５のうちのいずれか１項に記載の通信デバイス。
【請求項１７】
前記緊急コールセットアップを促す前記メッセージが、ビデオコールセッションを確立するための前記通信デバイスによって送信されるリクエストに応答しているかどうかを決定する手段をさらに備え、
前記少なくとも１つの条件のうちの任意の条件が満たされる場合のみ、該緊急コールセットアップを試みるための前記手段は、該緊急コールセットアップを促す該メッセージが、ビデオコールセッションを確立するための該通信デバイスによって送信されるリクエストに応答している場合のみ、該緊急コールセットアップを試みるように適合されている、請求項１１〜請求項１６のうちのいずれか１項に記載の通信デバイス。
【請求項１８】
緊急ナンバーにリダイレクションされ得るサービスの識別を維持する手段をさらに備え、
前記少なくとも１つの条件のうちの任意の条件が満たされる場合のみ、該緊急コールセットアップを試みるための前記手段は、該緊急コールセットアップを促す該メッセージが、該識別に従って緊急ナンバーにリダイレクションされ得るサービスに関している場合のみ、該緊急コールセットアップを試みるように適合されている、請求項１１〜請求項１７のうちのいずれか１項に記載の通信デバイス。
【請求項１９】
信頼できるソースの識別を維持する手段をさらに備え、
前記少なくとも１つの条件のうちの任意の条件が満たされる場合のみ、該緊急コールセットアップを試みるための前記手段は、該緊急コールセットアップを促す該メッセージが、該識別に従って信頼できるソースであるメッセージソースから送られた場合のみ、該緊急コールセットアップを試みるように適合されている、請求項１１〜請求項１８のうちのいずれか１項に記載の通信デバイス。
【請求項２０】
前記緊急コールセットアップが、該緊急コールセットアップを促す前記メッセージに応答して試みられない場合に、前記通信デバイスのユーザに警告する手段をさらに備えている、請求項１１〜請求項１９のうちのいずれか１項に記載の通信デバイス。
【請求項２１】
モバイルセル式電気通信ネットワークにおける方法であって、
ターゲット通信デバイスに、緊急コールセットアップを試みるように促すメッセージを転送するための少なくとも１つの条件を維持するステップと、
ターゲット通信デバイスに、緊急コールセットアップを試みるように促すメッセージを受信するステップであって、該メッセージは、第３世代モバイル携帯電話規格に従う、ステップと、
該少なくとも１つの条件のうちの任意の条件が満たされる場合のみ、信号方式データ経路に沿って、該メッセージを転送するステップと
を包含する、方法。
【請求項２２】
前記信号方式データ経路に沿って、前記メッセージを転送するステップは、
該メッセージを、前記ターゲット通信デバイスに転送するステップと、
該メッセージを、ネットワークコンポーネントに転送するステップと
のうちの少なくとも１つを包含する、請求項２１に記載の方法。
【請求項２３】
信頼できるソースの識別を維持するステップをさらに包含し、
各メッセージに対して、前記少なくとも１つの条件のうちの任意の条件が満たされる場合のみ、該メッセージを転送するステップは、該メッセージが、該識別に従って信頼できるソースであるメッセージソースによって送られたことを指示する場合のみ、該メッセージを転送することを包含する、請求項２１または請求項２２に記載の方法。
【請求項２４】
前記メッセージを受信するステップは、３ＧＰＰ  ＴＳ  ２４．２２９、バージョン５のセクション５．１．６に提示されたプロトコルに従ってフォーマットされたメッセージを受信するステップを包含し、該メッセージは、前記ターゲット通信デバイスに、緊急コールセットアップを試みるように促す、請求項２１〜請求項２３のうちの１項に記載の方法。
【請求項２５】
コンピュータ読み取り可能な媒体であって、その上に格納され、コンピューティングデバイスに、該コンピューティングデバイスが、請求項２１〜請求項２４のうちのいずれか１項に記載の方法の前記ステップをインプリメントするように該コンピューティングデバイスのプロセッサ上で実行するためのコンピュータ実行可能な命令を有する、コンピュータ読み取り可能な媒体。
【請求項２６】
ターゲット通信デバイスに、緊急コールセットアップを試みるように促すメッセージを転送するための少なくとも１つの条件を維持する手段と、
ターゲット通信デバイスに、緊急コールセットアップを試みるように促すメッセージを受信する手段であって、該メッセージは、第３世代モバイル携帯電話規格に従う、手段と、
該少なくとも１つの条件のうちの任意の条件が満たされる場合のみ、信号方式データ経路に沿って該メッセージを転送する手段と
を有するメッセージブロッキング機能を備えている、モバイルセル式電気通信ネットワーク。
【請求項２７】
前記転送する手段は、
前記ターゲットデバイスに対する、前記メッセージと、
ネットワークコンポーネントに対する、該メッセージと
のうちの少なくとも１つを転送するように適合されている、請求項２６に記載の通信ネットワーク。
【請求項２８】
信頼できるソースの識別を維持する手段をさらに備えており、
各メッセージに対して、転送するための前記手段は、該メッセージが、該識別に従って、信頼できるソースであるメッセージソースによって送られた場合のみ、該メッセージを転送するように適合されている、請求項２６または請求項２７に記載の通信ネットワーク。
【請求項２９】
前記メッセージを受信する手段は、３ＧＰＰ  ＴＳ  ２４．２２９、バージョン５のセクション５．１．６において提示されるプロトコルに従ってフォーマットされるメッセージを受信する手段であって、該メッセージは、前記ターゲット通信デバイスに緊急コールセットアップを試みるように促す、手段を備えている、請求項２６〜請求項２８のうちのいずれか１項に記載の通信ネットワーク。
【請求項３０】
モバイルセル式電気通信ネットワークにおける方法であって、
メッセージを受信するステップであって、各メッセージは、ターゲット通信デバイスに、緊急コールセットアップを試みるように促すそれぞれの該ターゲット通信デバイスに向けられ、該メッセージは、第３世代モバイル携帯電話規格に従う、ステップと、
各メッセージに対して、該メッセージが、信号方式データ経路に沿って転送されることをブロックするステップと
を包含する、方法。
【請求項３１】
３ＧＰＰ  ＴＳ  ２４．２２９、バージョン５のセクション５．１．６において提示されるプロトコルに従ってフォーマットされるメッセージを受信するステップであって、各メッセージは、前記ターゲット通信デバイスに、緊急コールセットアップを試みるように促す、ステップを包含する、請求項３０に記載の方法。
【請求項３２】
コンピュータ読み取り可能な媒体であって、その上に格納され、コンピューティングデバイスに、該コンピューティングデバイスが、請求項３０〜請求項３１のうちのいずれか１項に記載の方法の前記ステップをインプリメントするように該コンピューティングデバイスのプロセッサ上で実行するためのコンピュータ実行可能な命令を有する、コンピュータ読み取り可能な媒体。
【請求項３３】
メッセージを受信するステップであって、各メッセージは、ターゲット通信デバイスに、緊急コールセットアップを試みるように促すそれぞれの該ターゲット通信デバイスに向けられ、該メッセージは、第３世代モバイル電話規格に従う、ステップと、
各メッセージに対して、該メッセージが、信号方式データ経路に沿って転送されることをブロックするステップと
を動作可能なメッセージブロッキング機能を備えている、モバイルセル式電気通信ネットワーク。
【発明の詳細な説明】
【技術分野】
【０００１】
本出願は、電子通信に関し、より具体的には、通信デバイスのための緊急コールセットアップに関する。
【背景技術】
【０００２】
ＴＳ２４．２２９、バージョン５のセクション５．１．６に従うと、モバイルデバイスが、＜ｔｙｐｅ＞子エレメントを「緊急」に設定する、３８０（代替的なサービス）応答を受信すると、該モバイルデバイスは、ＣＳドメインを介して、緊急コールセットアップを自動的に試みるようになる。緊急コールセットアップが、良好に行われる場合、緊急コールがモバイルデバイスに対して確立される。モバイルデバイスは、通常、ネットワークに、招待リクエストメッセージを送信することに応答して、３８０応答を受信する。それゆえ、招待リクエストメッセージを送信することによって、モバイルデバイスは、緊急事態が存在する場合に、緊急コールを確立するプロセスをトリガし得る。
【発明の開示】
【課題を解決するための手段】
【０００３】
広範な局面に従うと、通信デバイスにおける方法が提供され、該方法は、緊急コールセットアップを試みるための少なくとも１つの条件を維持するステップと、緊急コールセットアップを促すメッセージを受信するステップであって、該メッセージは、第３世代携帯電話規格に従う、ステップと、該緊急コールセットアップを促すメッセージを受信するステップに応答して、該少なくとも１つの条件のうちの任意の条件が満たされる場合にのみ、該緊急コールセットアップを試みるステップとを包含する。
【０００４】
別の広範な局面に従うと、コンピュータ読み取り可能な媒体であって、その上に格納され、コンピューティングデバイスに、該コンピューティングデバイスが、上記で概略された方法の上記ステップをインプリメントするように該コンピューティングデバイスのプロセッサ上で実行するためのコンピュータ実行可能な命令を有する、コンピュータ読み取り可能な媒体が提供される。
【０００５】
別の広範な局面に従うと、緊急コールセットアップを試みるための少なくとも１つの条件を維持する手段と、緊急コールセットアップを促すメッセージを受信する手段であって、該メッセージは、第３世代携帯電話規格に従う、手段と、該少なくとも１つの条件のうちの任意の条件が満たされる場合のみ、該緊急コールセットアップを促す該メッセージを受信することに応答して、該緊急コールセットアップを試みる手段とを有する緊急コールセットアップ機能を備えている通信デバイスが提供される。
【０００６】
別の広範な局面に従うと、モバイルセル式電気通信ネットワークにおける方法が提供され、該方法は、ターゲット通信デバイスに、緊急コールセットアップを試みるように促すメッセージを転送するための少なくとも１つの条件を維持するステップと、ターゲット通信デバイスに、緊急コールセットアップを試みるように促すメッセージを受信するステップであって、該メッセージは、第３世代モバイル携帯電話規格に従う、ステップと、該少なくとも１つの条件のうちの任意の条件が満たされる場合のみ、信号方式データ経路に沿って、該メッセージを転送するステップとを包含する。
【０００７】
別の広範な局面に従うと、コンピュータ読み取り可能な媒体であって、その上に格納され、コンピューティングデバイスに、該コンピューティングデバイスが、上記で概略された方法の上記ステップをインプリメントするように該コンピューティングデバイスのプロセッサ上で実行するためのコンピュータ実行可能な命令を有する、コンピュータ読み取り可能な媒体が提供される。
【０００８】
別の広範な局面に従うと、ターゲット通信デバイスに、緊急コールセットアップを試みるように促すメッセージを転送するための少なくとも１つの条件を維持する手段と、ターゲット通信デバイスに、緊急コールセットアップを試みるように促すメッセージを受信する手段であって、該メッセージは、第３世代モバイル携帯電話規格に従う、手段と、該少なくとも１つの条件のうちの任意の条件が満たされる場合のみ、信号方式データ経路に沿って該メッセージを転送する手段とを有するメッセージブロッキング機能を備えている、モバイルセル式電気通信ネットワークが提供される。
【０００９】
別の広範な局面に従うと、モバイルセル式電気通信ネットワークにおける方法が提供され、該方法は、メッセージを受信するステップであって、各メッセージは、ターゲット通信デバイスに、緊急コールセットアップを試みるように促すために、それぞれの該ターゲット通信デバイスに向けられ、該メッセージは、第３世代モバイル携帯電話規格に従う、ステップと、各メッセージに対して、該メッセージが、信号方式データ経路に沿って転送されることをブロックするステップとを包含する。
【００１０】
別の広範な局面に従うと、コンピュータ読み取り可能な媒体であって、その上に格納され、コンピューティングデバイスに、該コンピューティングデバイスが、上記で概略された方法の上記ステップをインプリメントするように該コンピューティングデバイスのプロセッサ上で実行するためのコンピュータ実行可能な命令を有する、コンピュータ読み取り可能な媒体が提供される。
【００１１】
別の広範な局面に従うと、メッセージを受信するステップであって、各メッセージは、ターゲット通信デバイスに、緊急コールセットアップを試みるように促すために、それぞれの該ターゲット通信デバイスに向けられ、該メッセージは、第３世代モバイル電話規格に従う、ステップと、各メッセージに対して、該メッセージが、信号方式データ経路に沿って転送されることをブロックするステップとを行うように動作可能なメッセージブロッキング機能を備えている、モバイルセル式電気通信ネットワークが提供される。
【００１２】
本発明は、さらに以下の手段を提供する。
【００１３】
（項目１）  
通信デバイスにおける方法であって、
緊急コールセットアップを試みるための少なくとも１つの条件を維持するステップと、
緊急コールセットアップを促すメッセージを受信するステップであって、該メッセージは、第３世代携帯電話規格に従う、ステップと、
該緊急コールセットアップを促す該メッセージの受信に応答して、該少なくとも１つの条件のうちの任意の条件が満たされる場合にのみ、該緊急コールセットアップを試みるステップと
を包含する、方法。
【００１４】
（項目２）
上記緊急コールセットアップを促すメッセージを受信するステップは、
３ＧＰＰ  ＴＳ  ２４．２２９、バージョン５のセクション５．１．６において提示されるプロトコルに従ってフォーマットされるメッセージを受信するステップであって、該メッセージは該緊急コールセットアップを促す、ステップを包含する、項目１に記載の方法。
【００１５】
（項目３）
上記緊急コールセットアップを促す上記メッセージが、実際に、該緊急コールセットアップをトリガするべきかどうかの設定を維持するステップをさらに包含し、
上記少なくとも１つの条件のうちの任意の条件が満たされる場合のみ、該緊急コールセットアップを試みるステップは、該緊急コールセットアップを促す該メッセージが、実際に、該緊急コールセットアップをトリガするべきであることを示す場合のみ、該緊急コールセットアップを試みるステップを包含する、項目１または項目２に記載の方法。
【００１６】
（項目４）
上記設定を操作するためのユーザ入力を受信するステップと、
該設定を操作するためのネットワーク入力を受信するステップと
のうちの少なくとも１つをさらに包含する、項目３に記載の方法。
【００１７】
（項目５）
上記緊急コールセットアップを促す上記メッセージが、ボイスコールセッションを確立する上記通信デバイスによって送信されるリクエストに応答しているかどうかを決定するステップをさらに包含し、
上記少なくとも１つの条件のうちの任意の条件が満たされる場合のみ、上記緊急コールセットアップを試みるステップは、該緊急コールセットアップを促す該メッセージが、ボイスコールセッションを確立する該通信デバイスによって送信されるリクエストに応答している場合のみ、該緊急コールセットアップを試みるステップを包含する、項目１〜項目４のうちのいずれか１項に記載の方法。
【００１８】
（項目６）
上記緊急コールセットアップを促す上記メッセージが、ビデオコールセッションを確立する上記通信デバイスによって送信されるリクエストに応答しているかどうかを決定するステップをさらに包含し、
上記少なくとも１つの条件のうちの任意の条件が満たされる場合のみ、上記緊急コールセットアップを試みるステップは、該緊急コールセットアップを促す該メッセージが、ビデオコールセッションを確立する該通信デバイスによって送信されるリクエストに応答している場合のみ、該緊急コールセットアップを試みるステップを包含する、項目１〜項目５のうちのいずれか１項に記載の方法。
【００１９】
（項目７）
緊急ナンバーにリダイレクションされ得るサービスの識別を維持するステップをさらに包含し、
上記少なくとも１つの条件のうちの任意の条件が満たされる場合のみ、上記緊急コールセットアップを試みるステップは、該緊急コールセットアップを促す上記メッセージが、該識別に従って緊急ナンバーにリダイレクションされ得るサービスに関している場合のみ、該緊急コールセットアップを試みるステップを包含する、項目１〜項目６のうちのいずれか１項に記載の方法。
【００２０】
（項目８）
信頼できるソースの識別を維持するステップをさらに包含し、
上記少なくとも１つの条件のうちの任意の条件が満たされる場合のみ、上記緊急コールセットアップを試みるステップは、該緊急コールセットアップを促すメッセージが、該識別に従って信頼できるソースであるメッセージソースから送信されたことの指示がある場合のみ、該緊急コールセットアップを試みるステップを包含する、項目１〜項目７のうちのいずれか１項に記載の方法。
【００２１】
（項目９）
上記緊急コールセットアップが、該緊急コールセットアップを促す上記メッセージに応答して試みられない場合に、上記通信デバイスのユーザに警告するステップをさらに包含する、項目１〜項目８のうちのいずれか１項に記載の方法。
【００２２】
（項目１０）
コンピュータ読み取り可能な媒体であって、その上に格納され、コンピューティングデバイスに、該コンピューティングデバイスが、項目１〜項目９のうちのいずれか１項に記載の方法の上記ステップをインプリメントするように該コンピューティングデバイスのプロセッサ上で実行するためのコンピュータ実行可能な命令を有する、コンピュータ読み取り可能な媒体。
【００２３】
（項目１１）
緊急コールセットアップを試みるための少なくとも１つの条件を維持する手段と、
緊急コールセットアップを促すメッセージを受信する手段であって、該メッセージは、第３世代携帯電話規格に従う、手段と、
該少なくとも１つの条件のうちの任意の条件が満たされる場合のみ、該緊急コールセットアップを促す該メッセージを受信することに応答して、該緊急コールセットアップを試みる手段と
を有する緊急コールセットアップ機能を備えている通信デバイス。
【００２４】
（項目１２）
上記通信デバイスは、ワイヤレス接続を介してワイヤレスネットワークと通信するように動作可能なワイヤレスアクセス無線を備えているモバイルデバイスである、項目１１に記載の通信デバイス。
【００２５】
（項目１３）
上記受信する手段は、３ＧＰＰ  ＴＳ  ２４．２２９、バージョン５のセクション５．１．６に提示されるプロトコルに従ってフォーマットされるメッセージを受信するように適合され、該メッセージは、上記緊急コールセットアップを促す、項目１１または項目１２に記載の通信デバイス。
【００２６】
（項目１４）
上記緊急コールセットアップを促す上記メッセージが実際に該緊急コールセットアップをトリガするべきかどうかの設定を維持する手段をさらに備え、
上記少なくとも１つの条件のうちの任意の条件が満たされる場合のみ、該緊急コールセットアップを試みる手段は、該設定が、該緊急コールセットアップを促す該メッセージが実際に、該緊急コールセットアップをトリガするべきことを示す場合のみ、該緊急コールセットアップを試みるように適合されている、項目１１〜項目１３のうちのいずれか１項に記載の通信デバイス。
【００２７】
（項目１５）
上記設定を操作するためのユーザ入力を受信する手段と、
該設定を操作するためのネットワーク入力を受信する手段と
をさらに備えている、項目１４に記載の通信デバイス。
【００２８】
（項目１６）
上記緊急コールセットアップを促す上記メッセージが、ボイスコールセッションを確立するための上記通信デバイスによって送信されるリクエストに応答しているかどうかを決定する手段をさらに備え、
上記少なくとも１つの条件のうちの任意の条件が満たされる場合のみ、該緊急コールセットアップを試みる上記手段は、該緊急コールセットアップを促す該メッセージが、ボイスコールセッションを確立するための該通信デバイスによって送信されるリクエストに応答している場合のみ、該緊急コールセットアップを試みるように適合されている、項目１１〜項目１５のうちのいずれか１項に記載の通信デバイス。
【００２９】
（項目１７）
上記緊急コールセットアップを促す上記メッセージが、ビデオコールセッションを確立するための上記通信デバイスによって送信されるリクエストに応答しているかどうかを決定する手段をさらに備え、
上記少なくとも１つの条件のうちの任意の条件が満たされる場合のみ、該緊急コールセットアップを試みるための上記手段は、該緊急コールセットアップを促す該メッセージが、ビデオコールセッションを確立するための該通信デバイスによって送信されるリクエストに応答している場合のみ、該緊急コールセットアップを試みるように適合されている、項目１１〜項目１６のうちのいずれか１項に記載の通信デバイス。
【００３０】
（項目１８）
緊急ナンバーにリダイレクションされ得るサービスの識別を維持する手段をさらに備え、
上記少なくとも１つの条件のうちの任意の条件が満たされる場合のみ、該緊急コールセットアップを試みるための上記手段は、該緊急コールセットアップを促す該メッセージが、該識別に従って緊急ナンバーにリダイレクションされ得るサービスに関している場合のみ、該緊急コールセットアップを試みるように適合されている、項目１１〜項目１７のうちのいずれか１項に記載の通信デバイス。
【００３１】
（項目１９）
信頼できるソースの識別を維持する手段をさらに備え、
上記少なくとも１つの条件のうちの任意の条件が満たされる場合のみ、該緊急コールセットアップを試みるための上記手段は、該緊急コールセットアップを促す該メッセージが、該識別に従って信頼できるソースであるメッセージソースから送られた場合のみ、該緊急コールセットアップを試みるように適合されている、項目１１〜項目１８のうちのいずれか１項に記載の通信デバイス。
【００３２】
（項目２０）
上記緊急コールセットアップが、該緊急コールセットアップを促す上記メッセージに応答して試みられない場合に、上記通信デバイスのユーザに警告する手段をさらに備えている、項目１１〜項目１９のうちのいずれか１項に記載の通信デバイス。
【００３３】
（項目２１）
モバイルセル式電気通信ネットワークにおける方法であって、
ターゲット通信デバイスに、緊急コールセットアップを試みるように促すメッセージを転送するための少なくとも１つの条件を維持するステップと、
ターゲット通信デバイスに、緊急コールセットアップを試みるように促すメッセージを受信するステップであって、該メッセージは、第３世代モバイル携帯電話規格に従う、ステップと、
該少なくとも１つの条件のうちの任意の条件が満たされる場合のみ、信号方式データ経路に沿って、該メッセージを転送するステップと
を包含する、方法。
【００３４】
（項目２２）
上記信号方式データ経路に沿って、上記メッセージを転送するステップは、
該メッセージを、上記ターゲット通信デバイスに転送するステップと、
該メッセージを、ネットワークコンポーネントに転送するステップと
のうちの少なくとも１つを包含する、項目２１に記載の方法。
【００３５】
（項目２３）
信頼できるソースの識別を維持するステップをさらに包含し、
各メッセージに対して、上記少なくとも１つの条件のうちの任意の条件が満たされる場合のみ、該メッセージを転送するステップは、該メッセージが、該識別に従って信頼できるソースであるメッセージソースによって送られたことを指示する場合のみ、該メッセージを転送することを包含する、項目２１または項目２２に記載の方法。
【００３６】
（項目２４）
上記メッセージを受信するステップは、３ＧＰＰ  ＴＳ  ２４．２２９、バージョン５のセクション５．１．６に提示されたプロトコルに従ってフォーマットされたメッセージを受信するステップを包含し、該メッセージは、上記ターゲット通信デバイスに、緊急コールセットアップを試みるように促す、項目２１〜項目２３のうちの１項に記載の方法。
【００３７】
（項目２５）
コンピュータ読み取り可能な媒体であって、その上に格納され、コンピューティングデバイスに、該コンピューティングデバイスが、項目２１〜項目２４のうちのいずれか１項に記載の方法の上記ステップをインプリメントするように該コンピューティングデバイスのプロセッサ上で実行するためのコンピュータ実行可能な命令を有する、コンピュータ読み取り可能な媒体。
【００３８】
（項目２６）
ターゲット通信デバイスに、緊急コールセットアップを試みるように促すメッセージを転送するための少なくとも１つの条件を維持する手段と、
ターゲット通信デバイスに、緊急コールセットアップを試みるように促すメッセージを受信する手段であって、該メッセージは、第３世代モバイル携帯電話規格に従う、手段と、
該少なくとも１つの条件のうちの任意の条件が満たされる場合のみ、信号方式データ経路に沿って該メッセージを転送する手段と
を有するメッセージブロッキング機能を備えている、モバイルセル式電気通信ネットワーク。
【００３９】
（項目２７）
上記転送する手段は、
上記ターゲットデバイスに対する、上記メッセージと、
ネットワークコンポーネントに対する、該メッセージと
のうちの少なくとも１つを転送するように適合されている、項目２６に記載の通信ネットワーク。
【００４０】
（項目２８）
信頼できるソースの識別を維持する手段をさらに備えており、
各メッセージに対して、転送するための上記手段は、該メッセージが、該識別に従って、信頼できるソースであるメッセージソースによって送られた場合のみ、該メッセージを転送するように適合されている、項目２６または項目２７に記載の通信ネットワーク。
【００４１】
（項目２９）
上記メッセージを受信する手段は、３ＧＰＰ  ＴＳ  ２４．２２９、バージョン５のセクション５．１．６において提示されるプロトコルに従ってフォーマットされるメッセージを受信する手段であって、該メッセージは、上記ターゲット通信デバイスに緊急コールセットアップを試みるように促す、手段を備えている、項目２６〜項目２８のうちのいずれか１項に記載の通信ネットワーク。
【００４２】
（項目３０）
モバイルセル式電気通信ネットワークにおける方法であって、
メッセージを受信するステップであって、各メッセージは、ターゲット通信デバイスに、緊急コールセットアップを試みるように促すそれぞれの該ターゲット通信デバイスに向けられ、該メッセージは、第３世代モバイル携帯電話規格に従う、ステップと、
各メッセージに対して、該メッセージが、信号方式データ経路に沿って転送されることをブロックするステップと
を包含する、方法。
【００４３】
（項目３１）
３ＧＰＰ  ＴＳ  ２４．２２９、バージョン５のセクション５．１．６において提示されるプロトコルに従ってフォーマットされるメッセージを受信するステップであって、各メッセージは、上記ターゲット通信デバイスに、緊急コールセットアップを試みるように促す、ステップを包含する、項目３０に記載の方法。
【００４４】
（項目３２）
コンピュータ読み取り可能な媒体であって、その上に格納され、コンピューティングデバイスに、該コンピューティングデバイスが、項目３０〜項目３１のうちのいずれか１項に記載の方法の上記ステップをインプリメントするように該コンピューティングデバイスのプロセッサ上で実行するためのコンピュータ実行可能な命令を有する、コンピュータ読み取り可能な媒体。
【００４５】
（項目３３）
メッセージを受信するステップであって、各メッセージは、ターゲット通信デバイスに、緊急コールセットアップを試みるように促すそれぞれの該ターゲット通信デバイスに向けられ、該メッセージは、第３世代モバイル電話規格に従う、ステップと、
各メッセージに対して、該メッセージが、信号方式データ経路に沿って転送されることをブロックするステップと
を動作可能なメッセージブロッキング機能を備えている、モバイルセル式電気通信ネットワーク。
【００４６】
（摘要）
緊急コールセットアップを条件付きで試みるために通信デバイスにシステムおよび方法が提供される。通信デバイスは、緊急コールセットアップを試みるための少なくとも１つの条件を維持する。緊急コールセットアップを促すメッセージを受信すると、該少なくとも１つの条件のうちの任意の条件が満たされる場合のみ、通信デバイスは、緊急コールセットアップを試みる。該少なくとも１つの条件が定義されることにより、緊急事態が存在しないとき、通信デバイスは、緊急コールを確立することを誤って試みることがない。該少なくとも１つの条件は、例えば、該緊急コールセットアップを促すメッセージが、モバイルユーザによって信頼されるメッセージソースを示すかどうかを含む。メッセージの少なくとも一部が、それらのターゲット通信デバイスに送達されることをブロックするために、通信ネットワークにシステムおよび方法がまた提供される。
【発明を実施するための最良の形態】
【００４７】
ここで、添付の図面を参照して、実施形態が記載される。
【００４８】
上述されるように、モバイルデバイスは、緊急事態が存在するとき、緊急コールを確立するプロセスをトリガし得る。しかしながら、ＴＳ２４．２２９、バージョン５のセクション５．１．６はまた、緊急事態が存在しないとき、モバイルデバイスが、緊急コールを確立する可能性を考慮する。例えば、エンティティが、＜ｔｙｐｅ＞子エレメントを「緊急」に設定する３８０（代替的なサービス）応答を、モバイルデバイスに送信し、これにより、該モバイルデバイスに、自動的に緊急コールセットアップを試みるように促し得る。該エンティティは、不正な（ｒｏｇｕｅ）モバイルデバイス、欠陥のあるプロトコルインプリメンテーションを有するモバイルデバイス、または不正なサーバであり得る。この場合において、モバイルデバイスは、明らかな緊急事態があり得ない場合でさえ、緊急コールセットアップを自動的に試みる。３ｘｘという番号を有するＳＩＰメッセージ−ここで、「ｘｘ」は、２桁を表す−は、リダイレクションを意味し、該メッセージは、統制から外れたモバイルデバイスまたはサーバ、あるいは欠陥のあるモバイルデバイスまたはサーバに送られ得る。
【００４９】
（条件付き緊急コールセットアップ：通信システム）
図１Ａを参照すると、例示的な通信システム４０のブロック図が示される。通信システム４０は、ワイヤレスネットワーク２０と、モバイルデバイス１０と、他のモバイルデバイス３０とを有し、該通信システム４０は、他のコンポーネントを有し得るが、該コンポーネントは、簡略化のために示されていない。モバイルデバイス１０は、ワイヤレスアクセス無線１６と、プロセッサ１７と、緊急コールセットアップ機能１５とを有し、該モバイルデバイス１０は、他のコンポーネントを有し得るが、これらは簡略化のために示されていない。その他のモバイルデバイス３０がモバイルデバイス１０のコンポーネント以外の異なるコンポーネントを有し得る。
【００５０】
動作中、モバイルデバイス１０は、そのワイヤレスアクセス無線１６を用いて、ワイヤレスネットワーク２０と通信する。ワイヤレス通信は、モバイルデバイス１０とワイヤレスネットワーク２０との間のワイヤレス接続１９を介する。その他のモバイルデバイス３０は、同様に、それぞれのワイヤレス接続（図示されない）を介してワイヤレスネットワーク２０と通信し得る。ワイヤレスネットワーク２０との通信は、例えば、電話通信、または電子メールのような他の形態の通信であり得る。
【００５１】
一部の通信は、緊急コールを含み得る。例えば、モバイルデバイス１０は、緊急コールセットアップを促すメッセージを受信すると、緊急コールを試み得る。緊急コールセットアップを促すメッセージのソースは、例えば、その他のモバイルデバイス３０あるいはワイヤレスネットワーク２０自体のうちの１つであり得る。メッセージのソースが、その他のモバイルデバイス３０である場合には、該ソースは、明らかな緊急事態があり得ない場合でさえも、緊急コールセットアップを試みるように、モバイルデバイス１０をトリガすることを試みる統制から外れたモバイルデバイスであり得る。明らかな緊急事態がないときに、モバイルデバイス１０が、緊急コールセットアップを促すメッセージを受信する他の状況があり得る。
【００５２】
本出願の実施形態に従って、緊急コールセットアップ機能１５は、緊急コールセットアップを試みるための少なくとも１つの条件を維持する。緊急コールセットアップを促すメッセージを受信すると、該少なくとも１つの条件のうちの任意の条件が満たされる場合のみ、緊急コールセットアップが試みられる。このことは、緊急コールをセットアップするニーズがない場合に、モバイルデバイス１０が、緊急コールセットアップを促すメッセージを無視することを可能にする。さらなる詳細は、図２から図５を参照して与えられる。
【００５３】
例示される実施形態において、緊急コールセットアップ機能１５は、ソフトウェアとしてインプリメントされ、プロセッサ１７上で実行される。しかしながら、より一般的には、緊急コールセットアップ機能１５は、ソフトウェア、ハードウェア、ファームウェアまたは任意のそれらの組み合わせとしてインプリメントされ得る。
【００５４】
例示される実施形態において、通信デバイス１０、３０がモバイルデバイスであることが仮定される。しかしながら、より一般的には、本出願の実施形態は、通信デバイスに適用可能であり、該通信デバイスは、モバイルまたは有線であり得る。有線デバイスに対しては、ワイヤレスアクセス無線に対するニーズがない。むしろ、有線デバイスは、任意の適切な通信インタフェースを提供され得る。有線デバイスの場合に対して、ネットワーク２０は、必ずしもワイヤレスである必要はない。
【００５５】
ワイヤレスネットワーク２０は、任意の特定のコンポーネントを有するようには示されていない。しかしながら、ワイヤレスネットワーク２０は、有線ネットワークおよび／またはワイヤレスネットワークに適した任意の適切なコンポーネントを有する。コンポーネントは、インプリメンテーション特有であり、ネットワークのタイプに依存し得る。ネットワーク２０は、任意の適切なタイプ、例えば、ＧＰＲＳ、ＵＭＴＳ、ＣＤＭＡなどであり得る。ＩＭＳサービスは、ベアラがはっきりしない（ｂｅａｒｅｒａｇｎｏｓｔｉｃ）。一部の実施形態において、ワイヤレスネットワーク２０は、ＳＩＰメッセージの送信を処理するためのＰ−ＣＳＣＦ（プロキシコールセッションコントロール機能）ノードを含む。他のインプリメンテーションが可能である。
【００５６】
ここで図１Ｂを参照すると、本明細書中に記述される任意の方法をインプリメントし得る、別のモバイルデバイス８０のブロック図が示される。モバイルデバイス８０は、図１Ａのモバイルデバイス１０の特徴と同様の特徴をインプリメントするための特定の構成要素を伴って示される。モバイルデバイス８０は、単なる例示目的として、非常に特定の詳細を伴って示されることが理解されるべきである。
【００５７】
プロセッシングデバイス（マイクロプロセッサ１２８）が、キーボード１１４とディスプレイ１２６との間に結合されて、模式的に示される。マイクロプロセッサ１２８は、図１Ａに示されるモバイルデバイス１０のプロセッサ１７の特徴と同様の特徴を有する種類のプロセッサである。マイクロプロセッサ１２８は、ユーザによるキーボード１１４のキーの作動に応答して、ディスプレイ１２６の動作およびモバイルデバイス８０の全体的な動作を制御する。
【００５８】
モバイルデバイス８０は、垂直に細長くあり得る筐体を有し得、または（クラムシェル筐体構造を含む）他の大きさおよび形状を取り得る。キーボード１１４は、モード選択キーを含み得、またはテキスト入力と電話入力との間を切り替えるための他のハードウェアまたはソフトウェアを含み得る。
【００５９】
マイクロプロセッサ１２８に加えて、モバイルデバイス８０の他の部品が、模式的に示される。これらは、通信サブシステム１７０、短距離通信サブシステム１０２、キーボード１１４およびディスプレイ１２６、加えて、１組のＬＥＤ１０４、１組の補助Ｉ／Ｏデバイス１０６、シリアルポート１０８、スピーカ１１１およびマイクロフォン１１２を含む他の入力／出力デバイス、およびフラッシュメモリ１１６、ランダムアクセスメモリ（ＲＡＭ）１１８を含むメモリデバイス、ならびにさまざまな他のデバイスサブシステム１２０を含む。モバイルデバイス８０は、モバイルデバイス８０の能動素子を動かすバッテリ１２１を有し得る。モバイルデバイス８０は、一部の実施形態において、ボイスおよびデータ通信能力を有する双方向無線周波数（ＲＦ）通信デバイスである。加えて、モバイルデバイス８０は、一部の実施形態においてインターネットを介して他のコンピュータシステムと通信する能力を有する。
【００６０】
マイクロプロセッサ１２８によって実行されるオペレーティングシステムソフトウェアは、一部の実施形態において、フラッシュメモリ１１６などの持続記憶装置に格納されるが、読取り専用メモリ（ＲＯＭ）または同様の格納素子にも格納され得る。加えて、システムソフトウェア、特定のデバイスアプリケーションまたはそれらの部品は、一時的にＲＡＭ１１８などの揮発性記憶領域にロードされ得る。モバイルデバイス８０によって受信された通信信号も、ＲＡＭ１１８に格納され得る。
【００６１】
マイクロプロセッサ１２８は、そのオペレーションシステム機能に加えて、モバイルデバイス８０でのソフトウェアアプリケーションの実行を可能にする。ボイス通信モジュール１３０Ａおよびデータ通信モジュール１３０Ｂなどの基本的なデバイスオペレーションを制御する、予め決められたソフトウェアアプリケーションのセットは、製造中にモバイルデバイス８０にインストールされ得る。加えて、個人情報マネジャー（ＰＩＭ）アプリケーションモジュール１３０Ｃも、製造中にモバイルデバイス８０にインストールされ得る。ＰＩＭアプリケーションは、一部の実施形態において、電子メール、カレンダーイベント、ボイスメール、アポイントメントおよびタスクアイテムなどのデータアイテムを設定および管理することが可能である。ＰＩＭアプリケーションはまた、一部の実施形態においてワイヤレスネットワーク１１０を介してデータアイテムの送受信が可能である。一部の実施形態において、ＰＩＭアプリケーションによって管理されたデータアイテムは、ホストコンピュータシステムに格納されたまたは関連付けられたデバイスユーザの対応するデータアイテムを用い、ワイヤレスネットワーク１１０を介してシームレスに統合され、同期および更新される。また、さらなるソフトウェアモジュールが、別のソフトウェアモジュール１３０Ｎとして例示されているが、製造中にインストールされ得る。フラッシュメモリ１１６のモジュール１３０Ａ、１３０Ｂ、１３０Ｃおよび１３０Ｎのうちの１つ以上が、図１Ａに示されるモバイルデバイス１０の緊急コールセットアップ機能１５の特徴と同様の特徴をインプリメントするように設定され得る。例えば、他のモジュール１３０Ｎのうちの１つが、設定され得ることによって、それがマイクロプロセッサ１２８で実行されるときには、モバイルデバイス８０は、緊急コールセットアップを試みるために、少なくとも１つの条件を維持する。緊急コールセットアップを促すメッセージの受信に応答して、少なくとも１つの条件が満たされる場合のみに、モバイルデバイス８０は、緊急コールセットアップを試みる。ボイスコール能力に加えて、ビデオコール能力も提供され得る。
【００６２】
通信機能は、データおよびボイス通信を含み、通信サブシステム１７０を介して行われ、短距離通信サブシステム１７０を介しても行われ得る。通信サブシステム１７０は、受信器１５０と、送信器１５２と、受信アンテナ１５４および送信アンテナ１５６として例示された１つ以上のアンテナとを含む。加えて、通信サブシステム１７０はまた、プロセッシングモジュール、例えばデジタル信号プロセッサ（ＤＳＰ）１５８および局部発振器（ＬＯ）１６０を含む。送信器１５２および受信器１５０を有する通信サブシステム１７０は、図１Ａに示されるモバイルデバイス１０のワイヤレスアクセス無線１６の機能と同様の機能を有するワイヤレスアクセス無線のインプリメンテーションである。通信サブシステム１７０の特定の設計およびインプリメンテーションは、モバイルデバイス８０が動作するように意図される通信ネットワークに依存する。例えば、モバイルデバイス８０の通信サブシステム１７０は、ＭｏｂｉｔｅｘＴＭ、ＤａｔａＴＡＣＴＭまたは汎用パケット無線サービス（ＧＰＲＳ）モバイルデバイス通信ネットワークで動作するように設計され得、また、高度モバイルフォンサービス（ＡＭＰＳ）、時分割多重アクセス（ＴＤＭＡ）、符号分割多重アクセス（ＣＤＭＡ）、パーソナル通信サービス（ＰＣＳ）、グローバルシステムフォーモバイル通信（ＧＳＭ）などの任意のさまざまなボイス通信ネットワークで動作するように設計され得る。他の種類のデータおよびボイスネットワークが、分離および統合した両方の形式で、モバイルデバイス８０とともに用いられ得る。
【００６３】
ネットワークアクセスは、通信システムの種類に依存して異なり得る。例えば、ＭｏｂｉｔｅｘＴＭネットワークおよびＤａｔａＴＡＣＴＭネットワークにおいて、モバイルデバイスは、各デバイスに関連付けられた固有の個人識別番号（ＰＩＮ）を用いてネットワークに登録される。しかし、ＧＰＲＳネットワークにおいて、ネットワークアクセスは、通常はデバイスの加入者またはユーザに関連付けられる。従って、ＧＰＲＳデバイスは、ＧＰＲＳネットワーク上で動作するために、一般的に加入者識別モジュール（ＳＩＭ）カードと呼ばれる加入者識別モジュールを有する。
【００６４】
ネットワーク登録または起動の手順が完了すると、モバイルデバイス８０は、通信ネットワーク１１０を介して通信信号を送受信し得る。受信アンテナ１５４によって通信ネットワーク１１０から受信した信号は、受信器１５０に経由され、該受信器は、信号増幅、周波数ダウン変換、フィルタリング、チャネル選択などを提供し、また、アナログデジタル変換を提供し得る。受信信号のアナログデジタル変換は、ＤＳＰ１５８が、より複雑な通信機能、例えば復調および復号化を行うことを可能にする。同様にして、ネットワーク１１０に送信されるべき信号が、ＤＳＰ１５８によって処理（例えば、変調および符号化）され、次いで、デジタルアナログ変換、周波数アップ変換、フィルタリング、増幅、および送信アンテナ１５６を介する通信ネットワーク１１０への送信のために、送信器１５２に提供される。
【００６５】
通信信号の処理に加え、ＤＳＰ１５８は、受信器１５０および送信器１５２の制御を提供する。例えば、受信器１５０および送信器１５２における通信信号に加えられたゲインは、ＤＳＰ１５８にインプリメントされた自動ゲイン制御アルゴリズムを介して、適応するように制御され得る。
【００６６】
データ通信モードにおいて、テキストメッセージおよびウェブページのダウンロードなどの受信信号は、通信サブシステム１７０によって処理され、マイクロプロセッサ１２８に入力される。受信信号は、次いでマイクロプロセッサ１２８によってさらに処理され、ディスプレイ１２６に出力されるか、あるいは他の一部の補助Ｉ／Ｏデバイス１０６に出力される。デバイスユーザは、タッチパッド、ロッカースイッチ、サムホイールまたは他の一部の種類の入力デバイスなどのキーボード１１４および／または他の一部の補助Ｉ／Ｏデバイス１０６を用いて、電子メールメッセージなどのデータアイテムを設定し得る。設定されたデータアイテムは、次いで通信サブシステム１７０を介し、通信ネットワーク１１０にわたって送信され得る。
【００６７】
ボイス通信モードにおいて、デバイスの全体的な動作は、データ通信モードと実質的に同等であるが、受信信号がスピーカ１１１に出力され、送信のための信号は、マイクロフォン１１２によって生成されるということが異なる。代替的なボイスまたはオーディオＩ／Ｏサブシステム、例えばボイスメッセージ録音サブシステムもまた、モバイルデバイス８０にインプリメントされ得る。加えて、ディスプレイ１２６もまた、ボイス通信モードにおいて用いられることによって、例えばコールパーティの身元、ボイスコールの継続時間、または他のボイスコール関連の情報を表示し得る。
【００６８】
短距離通信サブシステム１０２は、モバイルデバイス８０と、必ずしも同様なデバイスではなくてよい他の隣接するシステムまたはデバイスとの間の通信を可能にする。例えば、短距離通信サブシステムは、赤外線デバイス、ならびに関連した回路および構成要素、またはＢｌｕｅｔｏｏｔｈＴＭ通信モジュールを含むことによって、同様に使用可能なシステムおよびデバイスとの通信を提供し得る。
【００６９】
（条件付き緊急コールセットアップ：デバイス方法）
ここで図２を参照すると、緊急コールセットアップを条件付きで試みる例示的な方法の流れ図を示す。この方法は、例えば図１Ａに示されるモバイルデバイス１０の緊急コールセットアップ機能１５によって、通信デバイスにインプリメントされ得る。あるいは、該方法は、図１Ｂに示されるモバイルデバイス８０にインプリメントされ得る。より概括的には、該方法は、任意の適切な通信デバイスにインプリメントされ得る。
【００７０】
ステップ２−１において、通信デバイスは、緊急コールセットアップのための少なくとも１つの条件を維持する。ステップ２−２において、通信デバイスは、緊急コールセットアップを促すメッセージを受信する。ステップ２−３において、緊急コールセットアップを促すメッセージの受信に応答して、通信デバイスは、少なくとも１つの条件のうちのいずれかが満たされた場合のみに、緊急コールセットアップを試みる。そうでない場合には、通信デバイスは、緊急コールセットアップを試みない。
【００７１】
緊急コールセットアップを促すメッセージに対する、多くの可能性が存在する。一部のインプリメンテーションにおいて、メッセージは、緊急コールセットアップを促す、３８０代替サービスメッセージである。３８０代替サービスメッセージは、例えば＜ｔｙｐｅ＞子エレメントが「緊急」に設定された＜代替サービス＞要素を含むＸＭＬ（拡張可能マークアップ言語）ボディを有することによって、緊急コールセットアップを促し得る。あるいは、３８０代替サービスメッセージは、任意の他の種類の符号化を用いて、緊急コールセットアップを促し得る。より概括的には、メッセージは、緊急コールセットアップを促す任意のメッセージであり得る。
【００７２】
少なくとも１つの条件に対する多くの可能性が存在する。少なくとも１つの条件は、１つまたはそれ以上の条件を含み、その少なくとも１つは、緊急コールセットアップを試みるために満たされるべきである。少なくとも１つの条件に対する多くの可能性が存在するので、少なくとも１つの条件のうちのいずれかが満たされた場合のみに、緊急コールセットアップを試みる多くの可能性が存在するということになる。少なくとも１つの条件に対する多くの設定が存在し得る。所与の条件を満たすことは、これらの設定の任意のブール関数であり得る。この点を例示するために、さらなる実施例が、図３〜図６に関連して以下に提供される。理解されるべきは、これらのさらなる実施例は、可能であることの単なるサンプルであるということである。
【００７３】
ここで図３〜図６を参照すると、緊急コールセットアップを条件付きで試みる、他の例示的な方法の流れ図を示す。これらの方法は、例えば図１Ａに示されるモバイルデバイス１０の緊急コールセットアップ機能１５によって、通信デバイスにインプリメントされ得る。あるいは、これらの方法は、図１Ｂに示されるモバイルデバイス８０にインプリメントされ得る。より概括的には、これらの方法は、任意の適切な通信デバイスにインプリメントされ得る。これらの方法は、別個に、または任意の適切な組み合わせにおいてインプリメントされ得る。
【００７４】
最初に図３を参照すると、ステップ３−１において、通信デバイスは、緊急コールセットアップを促すメッセージは、実際に緊急コールセットアップをトリガするべきか否かの設定を維持する。一部のインプリメンテーションにおいて、ステップ３−２に示されるように、通信デバイスは、設定を操作するためのユーザ入力を受信する。これは、例えば通信デバイスのユーザインタフェースを介して達成され得る。ステップ３−３において、通信デバイスは、緊急コールセットアップを促すメッセージを受信する。ステップ３−４において、緊急コールセットアップを促すメッセージが実際に緊急コールセットアップをトリガすべきであると設定が示す場合のみに、通信デバイスは、緊急コールセットアップを試みる。そうでない場合には、通信デバイスは、緊急コールセットアップを試みない。従って、設定は、緊急コールセットアップを促すメッセージが実際に緊急コールセットアップをトリガすべきであるということを示すということが、条件である。
【００７５】
例示された実施例において、通信デバイスは、設定を操作するためのユーザ入力を受信する。これは、ユーザに、緊急コールセットアップを促すメッセージが実際に緊急コールセットアップをトリガすべきか否かを指定する能力を提供する。一部のインプリメンテーションにおいて、ユーザは、任意の適切なときに設定を操作し得る。ユーザがユーザ入力を提供する機会を提供されたとしても、必ずしもユーザ入力がある必要はないことに留意されたい。他のインプリメンテーションにおいて、設定は、ユーザによる設定が不可能である。設定は、例えばハードコード化されることによって、設定が不可能であり得る。他のインプリメンテーションが可能である。
【００７６】
別の実施形態において、通信デバイスは、設定を操作するためのネットワーク入力を受信する。これは、設定が、通信ネットワークによって操作されることを可能にする。別のインプリメンテーションにおいて、通信デバイスは、設定を操作するためにユーザ入力およびネットワーク入力の両方を受信する。他のインプリメンテーションが可能である。
【００７７】
ここで図４を参照すると、ステップ４−１において、通信デバイスは、緊急コールセットアップを促すメッセージを受信する。ステップ４−２において、通信デバイスは、緊急コールセットアップを促すメッセージが、ボイスコールセッションを確立させるために通信デバイスによって送信された要求に応答したものか否かを決定する。ステップ４−３において、緊急コールセットアップを促すメッセージが、ボイスコールセッションを確立させるために通信デバイスによって送信された要求に応答したものの場合のみに、通信デバイスは、緊急コールセットアップを試みる。そうでない場合には、通信デバイスは、緊急コールセットアップを試みない。従って、緊急コールセットアップを促すメッセージは、ボイスコールセッションを確立するために通信デバイスによって送信された要求に応答することが条件である。例えば、緊急コールセットアップを促すメッセージが、ＩＭ（インスタントメッセージング）セッションを確立するために通信デバイスによって送信された要求に応答したものである場合には、通信デバイスは、緊急コールセットアップを試みない。
【００７８】
例示された実施例において、挙動が、特定の種類のセッション、すなわちボイスコールセッションに対して定義される。しかし、挙動は、他の種類の通信セッション、例えばビデオコールセッションに対して定義され得ることが理解されるべきである。別のインプリメンテーションにおいて、通信デバイスは、緊急コールセットアップを促すメッセージがビデオコールセッションを確立させるために通信デバイスによって送信された要求に応答したものか否かを決定する。このインプリメンテーションによれば、緊急コールセットアップを促すメッセージが、ビデオコールセッションを確立させるために通信デバイスによって送信された要求に応答したものである場合のみに、通信デバイスは、緊急コールセットアップを試みる。
【００７９】
図４に関連して上に提示された実施例において、通信デバイスは、ＩＭセッションサービスが緊急番号にリダイレクトされるべきではないと想定し得る。一部のインプリメンテーションにおいて、通信デバイスは、緊急番号にリダイレクトされ得るサービスの識別を維持する。この実施例は、図５に関連して以下に提供される。
【００８０】
ここで図５を参照すると、ステップ５−１において、通信デバイスは、緊急番号にリダイレクトされ得るサービスの識別を維持する。ステップ５−２において、通信デバイスは、緊急コールセットアップを促すメッセージを受信する。ステップ５−３において、緊急コールセットアップを促すメッセージが、識別に従って緊急番号にリダイレクトされ得るサービスに応答するものである場合のみに、通信デバイスは、緊急コールセットアップを試みる。そうでない場合には、通信デバイスは、緊急コールセットアップを試みない。従って、緊急コールセットアップを促すメッセージが、識別に従って緊急番号にリダイレクトされ得るサービスに応答するものであることが、条件である。
【００８１】
一部のインプリメンテーションにおいて、緊急番号にリダイレクトされ得るサービスの識別は、ユーザによって設定可能であり得る。他のインプリメンテーションにおいて、緊急番号にリダイレクトされ得るサービスの識別は、設定が不可能である。設定は、例えばハードコード化されることによって設定が不可能であり得る。他のインプリメンテーションが可能である。
【００８２】
ここで図６を参照すると、ステップ６−１において、通信デバイスは、信頼されたソースの識別を維持する。ステップ６−２において、通信デバイスは、緊急コールセットアップを促すメッセージを受信する。ステップ６−３において、緊急コールセットアップを促すメッセージが識別に従って信頼されたソースであるメッセージソースから送信されたことを示すものがある場合のみに、通信デバイスは、緊急コールセットアップを試みる。一部のインプリメンテーションにおいて、緊急コールセットアップを促すメッセージは、メッセージソースを示す。他のインプリメンテーションにおいて、通信デバイスは、他の手段によってメッセージソースを認識する。そうでない場合には、通信デバイスは、緊急コールセットアップを試みず、これは、緊急コールセットアップを促すメッセージが、不正な通信デバイスまたは他の一部の不正な存在から生じたかもしれないからである。従って、緊急コールセットアップを促すメッセージが、識別に従って信頼されたソースであるメッセージソースを示すことが、条件である。
【００８３】
図６に関連して上に提示された実施例によれば、緊急コールセットアップを促すメッセージは、メッセージソースの識別が提供され得、これは、メッセージソースを信頼すべきか否かの決定を可能にする。より概括的には、アプリケーションの実施形態は、任意のＳＩＰメッセージに適用可能であり、これは、未確認のソースから受信した他のＳＩＰメッセージがあり得るからである。そのようなＳＩＰメッセージは、緊急コールセットアップを促すことの他に、他の望まれ得ない状況を発生させ得る。適切な認証が行われることによって、メッセージソースを立証し得る。さらなる実施例が、以下の追加の部分に提供される。
【００８４】
本明細書中に提示の実施例において、緊急コールセットアップを促すメッセージを受信することは、緊急コールセットアップを試みる通信デバイスをトリガしない、という状況が存在する。一部のインプリメンテーションにおいて、緊急コールセットアップを促すメッセージに応答しても緊急コールセットアップの試みが行われない場合には、通信デバイスは、通信デバイスのユーザに警告する。警告は、例えば通信デバイスのユーザインタフェースを介して通信デバイスによって発行され得る。
【００８５】
（条件付きの緊急コールセットアップ：別の通信システム）
上に提示された実施例において、通信デバイスは、該通信デバイスが緊急コールセットアップを試みることを促すメッセージの受信に応答して、緊急コールセットアップを条件付きで試みる。別の実施形態において、通信ネットワークは、少なくとも一部のメッセージをブロックする。別の実施形態において、通信ネットワークは、少なくとも一部のメッセージをブロックし、一方で通信デバイスは、緊急コールセットアップを促すメッセージの受信に応答して、緊急コールセットアップを条件付きで試みる。
【００８６】
ここで図７を参照すると、別の通信システム７０のブロック図が示される。通信システム７０は、通信ネットワーク７２を有し、該通信ネットワークは、プロセッサ７６に結合されたメッセージブロッキング機能７３を有する。通信ネットワーク７２は、他の構成要素を有し得るが、簡素化のため示されていない。通信システム７０は、通信デバイス７４を有し、他の通信デバイス７１を有し得る。通信デバイス７１および７４は、それぞれがモバイルデバイスまたは有線デバイスであり得る。通信デバイス７１および７４の詳細は、簡素化のために省略される。通信システム７０は、他の構成要素を有し得るが、簡素化のために示されていない。
【００８７】
動作において、通信デバイス７１および７４は、通信ネットワーク７２を介して通信する。通信は、例えば緊急コールセットアップを試みるための目標通信デバイスを促す、定義された種類のメッセージを含み得る。例えば、他の通信デバイス７１のうちの１つは、通信デバイス７４に定義された種類のメッセージを送信し得る。送信される予め定義された種類のメッセージのそれぞれに対して、通信ネットワーク７２は、メッセージを受信する。適用の実施形態によれば、メッセージブロッキング機能７３は、予め決定された種類のメッセージの少なくとも一部が、信号方式データ経路に沿って転送されることをブロックする。さらなる詳細は、図８〜図１０に関連して以下に提供される。
【００８８】
例示された実施例において、メッセージブロッキング機能７３は、ソフトウェアとしてインプリメントされ、プロセッサ７６上で実行される。しかし、より概括的には、メッセージブロッキング機能７３は、ソフトウェア、ハードウェア、ファームウェアまたはそれらの任意の適切な組み合わせとしてインプリメントされ得る。単一の構成要素として示されるが、より概括的には、メッセージブロッキング機能７３は、１つ以上の構成要素を有し得る。１つ以上の構成要素は、通信システム７２にわたって分配され得、または単一のネットワーク要素上に位置付けられ得る。１つ以上の構成要素は、通信ネットワーク７２の他の構成要素と一体化され得る。一部のインプリメンテーションにおいて、メッセージブロッキング機能７３は、目標デバイスへのメッセージの伝達に対するメッセージブロッキング機能、および通信ネットワーク７２の別の構成要素へのメッセージの転送に対するメッセージブロッキング機能の両方を含む。他のインプリメンテーションが可能である。
【００８９】
一部のインプリメンテーションにおいて、通信ネットワーク７２は、ワイヤレスネットワークである。しかし、有線デバイスの場合には、通信ネットワーク７２は、ワイヤレスである必要はない。従って、他のインプリメンテーションにおいて、通信ネットワーク７２は、有線ネットワークである。他のインプリメンテーションにおいて、通信ネットワーク７２は、有線ネットワークおよびワイヤレスネットワークを含む。他のインプリメンテーションが可能である。
【００９０】
通信ネットワーク７２は、特定の構成要素を伴わずに示される。しかし、通信ネットワーク７２は、有線および／またはワイヤレスのネットワークに対して適当である、任意の適切な構成要素を有し得る。構成要素は、インプリメンテーションに特有のものであり、ネットワークの種類に依存し得る。通信ネットワーク７２は、任意の適切な種類、例えばＧＰＲＳ、ＵＭＴＳ、ＣＤＭＡなどであり得る。ＩＭＳサービスは、ベアラがはっきりしない。一部のインプリメンテーションにおいて、通信ネットワーク７２は、Ｐ−ＣＳＣＦ（プロキシコールセッション制御機能）ノードを含むことによって、ＳＩＰメッセージの送信を処理する。他のインプリメンテーションが可能である。
【００９１】
（条件付き緊急コールセットアップ：ネットワーク方法）
ここで図８を参照すると、少なくとも一部のメッセージが目標の通信デバイスに伝達されることをブロックする方法の流れ図が示される。この方法は、例えば図７に示される通信ネットワーク７２のメッセージブロッキング機能７３によって、通信ネットワークにインプリメントされ得る。
【００９２】
ステップ８−１において、通信ネットワークは、メッセージを受信し、それぞれのメッセージは、目標の通信デバイスに導かれることによって、緊急コールセットアップを試みるように目標の通信デバイスを促す。ステップ８−２において、通信ネットワークは、メッセージの少なくとも一部が、目標の通信デバイスに伝達されることをブロックする。
【００９３】
目標の通信デバイスに向けられたそれぞれのメッセージが、緊急コールセットアップを試みるように目標の通信デバイスを促す、多くの可能性がある。それぞれのメッセージは、緊急コールセットアップを促す任意の適切なメッセージであり得、その実施例は、上に提供されている。
【００９４】
通信ネットワークが、目標の通信デバイスにメッセージの少なくとも一部が伝達されることをブロックする、多くの方法がある。この点を例示するために、目標の通信デバイスにメッセージの少なくとも一部が伝達されることをブロックする、他の例示的な方法が、以下に提供される。
【００９５】
ここで図９および図１０を参照すると、目標の通信デバイスにメッセージの少なくとも一部が伝達されることをブロックする、他の例示的な方法の流れ図が示される。これらの方法は、例えば図７に示される通信ネットワーク７２のメッセージブロッキング機能７３によって通信ネットワークにインプリメントされ得る。
【００９６】
最初に図９を参照すると、ステップ９−１において、通信ネットワークは、目標の通信デバイスに緊急コールセットアップを試みるように促すメッセージを転送させるために、少なくとも１つの条件を維持する。ステップ９−２において、通信ネットワークは、メッセージを受信し、それぞれのメッセージは、目標の通信デバイスに向けられることによって、緊急コールセットアップを試みるように目標の通信デバイスを促す。ステップ９−３において、受信されたそれぞれのメッセージに対して、少なくとも１つの条件のうちのいずれかが満たされた場合のみに、通信ネットワークは、その目標の通信デバイスに、メッセージを転送する。
【００９７】
メッセージを転送させるための少なくとも１つの条件を維持する多くの可能性が存在する。一部のインプリメンテーションにおいて、通信ネットワークは、信頼されたソースの識別を維持する。従って、一部のインプリメンテーションにおいて、受信したそれぞれのメッセージに対して、メッセージが、識別に従って信頼されたソースであるメッセージソースから送信されたことを示す場合のみに、通信ネットワークは、メッセージを転送する。一部のインプリメンテーションにおいて、緊急コールセットアップを促すメッセージは、メッセージソースを示す。他のインプリメンテーションにおいて、通信ネットワークは、他の手段によってメッセージソースを認識する。他のインプリメンテーションが可能である。
【００９８】
例示の実施例において、通信ネットワークは、その目標の通信デバイスにメッセージを転送する。別のインプリメンテーションにおいて、通信ネットワークは、通信ネットワーク内のネットワーク構成要素にメッセージを転送する。より概括的には、通信ネットワークは、信号方式データ経路に沿ってメッセージを転送し、これは、目標の通信デバイスにメッセージを転送すること、または通信ネットワーク内のネットワーク構成要素にメッセージを転送することを含み得る。
【００９９】
ネットワーク構成要素に転送された場合には、メッセージは、目標の通信デバイスに転送され得るか、または通信ネットワーク内のさらに別のネットワーク構成要素に転送され得る。
【０１００】
ここで図１０を参照すると、ステップ１０−１において、通信ネットワークは、メッセージを受信し、それぞれのメッセージは、目標の通信デバイスに向けられることによって、緊急コールセットアップを試みるように目標の通信デバイスを促す。ステップ１０−２において、受信したそれぞれのメッセージに対して、通信ネットワークは、目標の通信デバイスに全てのメッセージが伝達されることをブロックする。
【０１０１】
例示の実施例において、通信ネットワークは、目標の通信デバイスに全てのメッセージが伝達されることをブロックする。これは、通信デバイスがメッセージを受信するために、目標の通信デバイスにメッセージを伝達する位置にあるネットワーク構成要素によって実行され得、または、別のネットワーク構成要素にメッセージを転送するネットワーク構成要素によって実行され得る。
【０１０２】
本出願のさまざまな修正および変更が、上の教示に照らして可能である。従って、本出願は、添付の請求項の範囲内で本明細書中に明確に記述されたものとは異なったように実施され得ることは、理解されるべきである。
【図面の簡単な説明】
【０１０３】
【図１Ａ】図１Ａは、例示的な通信システムのブロック図である。
【図１Ｂ】図１Ｂは、モバイルデバイスのブロック図である。
【図２】図２は、緊急コールセットアップを条件付きで試みる例示的な方法のフローチャートである。
【図３】図３は、緊急コールセットアップを条件付きで試みる他の例示的な方法のフローチャートである。
【図４】図４は、緊急コールセットアップを条件付きで試みる他の例示的な方法のフローチャートである。
【図５】図５は、緊急コールセットアップを条件付きで試みる他の例示的な方法のフローチャートである。
【図６】図６は、緊急コールセットアップを条件付きで試みる他の例示的な方法のフローチャートである。
【図７】図７は、別の通信システムのブロック図である。
【図８】図８は、メッセージの少なくとも一部が、それらのターゲットモバイルデバイスに送達されることをブロックする方法のフローチャートである。
【図９】図９は、メッセージの少なくとも一部が、それらのターゲットモバイルデバイスに送達されることをブロックする他の例示的な方法のフローチャートである。
【図１０】図１０は、メッセージの少なくとも一部が、それらのターゲットモバイルデバイスに送達されることをブロックする他の例示的な方法のフローチャートである。
【符号の説明】
【０１０４】
１０  モバイルデバイス
１５  緊急コールセットアップ機能
１６  ワイヤレスアクセス無線
１７  プロセッサ
１９  ワイヤレス接続
２０  ワイヤレスネットワーク
３０  他のモバイルデバイス
４０  通信システム
【図１Ａ】
2008172778.tif 000003
【図１Ｂ】
2008172778.tif 000004
【図２】
2008172778.tif 000005
【図３】
2008172778.tif 000006
【図４】
2008172778.tif 000007
【図５】
2008172778.tif 000008
【図６】
2008172778.tif 000009
【図７】
2008172778.tif 000010
【図８】
2008172778.tif 000011
【図９】
2008172778.tif 000012
【図１０】
2008172778.tif 000013